(57)【要約】【課題】  方向調整を行える機能を有していても、部品点数を増やすことなく十分な保持力を得ることができるアンテナ取付装置を提供する。【解決手段】  アンテナ取付装置２は、本体金具２０と壁面金具３０とからなる。断面コ字状の本体金具２０は、アンテナ本体１０の背面に固着され、断面コ字状の壁面金具３０は壁面等に固着されている。壁面金具３０の下面部３３の先端部に挿通された軸ボルト３４は上面部３２の先端部のナット３５に螺着されている。この軸ボルト３５を、本体金具２０の上面部および下面部に形成された溝内に挿入して、アンテナ本体１０の方向調整を行う。その後、ナット３５を締着すると、上面部３２と下面部３３との間に本体金具の上面部と下面部とが挟持されるよう固着される。この際に、本体金具２０の上面部および下面部との間に形成された抑止部２１ａにより、本体金具２０の上面部と下面部とが内側に変形することを防止することができる。【選択図】  図３
2016100761.tif 000002
【特許請求の範囲】
【請求項１】
被取付物に取り付けられる第１金具と、アンテナ本体に固着される第２金具とからなるアンテナ取付装置であって、
被取付物に取り付け可能な平面状の第１取付面部と、該第１取付面部の上端および下端においてほぼ直角に折曲されて互いに対面するよう延伸された第１上面部および第１下面部とを有し、該第１下面部の先端部に軸ボルトを挿通可能な挿通孔が形成され、該第１上面部の先端部に前記軸ボルトが螺合可能な螺着手段が設けられている前記第１金具と、
前記アンテナ本体に取り付け可能な平面状の第２取付面部と、該第２取付面部の上端および下端においてほぼ直角に折曲されて互いに対面するよう延伸された第２上面部および第２下面部とを有し、前記第２上面部および前記第２下面部には、横方向に形成された連通溝と、該連通溝に始端が連通して形成された複数本の溝とが形成され、前記第２上面部および前記第２下面部との間において、前記第２取付面部に縦方向に複数の抑止手段が形成されている前記第２金具とを備え、
前記アンテナ本体に固着された前記第２金具を、被取付物に取り付けられた前記第１金具に組み付ける際に、前記第１金具の前記挿通孔に挿通されて前記螺着手段に螺着された前記軸ボルトを、前記連通溝に形成された挿入溝から前記連通溝内に導入して、前記複数本の溝の内の選択した一つの溝に前記軸ボルトを挿入することにより、前記アンテナ本体を所定角度範囲において方向調整することが可能とされ、前記軸ボルトを締着することにより、前記第１上面部と前記第１下面部との間に前記第２上面部と前記第２下面部とを挟持して固着できることを特徴とするアンテナ取付装置。
【請求項２】
前記抑止手段は、前記第２取付面部の中央部の上下にそれぞれ縦方向に形成された一対の抑止片からなり、該一対の抑止片は斜めに折曲され、端部が前記第２上面部の下面、あるいは、前記第２下面部の上面に当接されていることを特徴とする請求項１に記載のアンテナ取付装置。
【請求項３】
前記抑止手段は、前記第２取付面部の両側の中央部よりに、ほぼ直角に折曲されて縦方向に形成された抑止部からなり、該抑止部は、上端が前記第２上面部の下面に当接され、下端が前記第２下面部の上面に当接されていることを特徴とする請求項１に記載のアンテナ取付装置。
【請求項４】
前記抑止部の上部と下部に幅が拡張された拡幅部がそれぞれ形成されていることを特徴とする請求項３に記載のアンテナ取付装置。
【発明の詳細な説明】
【技術分野】
【０００１】
本発明は、アンテナを壁面等に取り付けられるアンテナ取付装置に関し、特に薄型アンテナの取り付けに適用して好適なアンテナ取付装置に関する。
【背景技術】
【０００２】
地上デジタルテレビ放送を受信する従来のアンテナとして、八木アンテナや薄型アンテナが知られている。薄型アンテナはケースを備えており、平面状とされたアンテナ素子をケース内に内蔵することが一般的とされている。この薄型アンテナは、壁面やベランダなどの設置場所に設置することが望まれており、住宅等の壁面やベランダに設置しても違和感がないような良好なデザインとされている。このため、薄型アンテナを取り付けるためのアンテナ取付装置には、壁面などへの薄型アンテナの取り付けを可能とすることができると共に、薄型アンテナの方向調整を行えることが望まれている。
【０００３】
薄型アンテナを取り付ける従来のアンテナ取付装置として特許文献１、特許文献２に記載されたアンテナ取付装置が知られている。また、本出願人は特願２０１３−２５６９１２号として出願したアンテナ取付装置を提案している。従来のアンテナ取付装置の一例の構成を図９、図１０に示す。図９は、アンテナ取付装置の第２取付金具を第１取付金具に組み付ける工程を示す斜視図であり、図１０は、アンテナ取付装置を備えるアンテナ本体の構成を示す背面図である。
これらの図に示すように、従来のアンテナ取付装置１００は、薄型アンテナのアンテナ本体１１０を壁面やアンテナポールに取り付ける取付装置とされている。アンテナ本体１１０は薄型アンテナとされ、前ケース１１１ａと後ケース１１１ｂとからなるケース１１１を備え、ケース１１１内に平面アンテナ等の厚さが薄く構成されたアンテナ素子が収納されている。後ケース１１１ｂの背面の下部にはほぼ直方体状の矩形状凸部１１４が後方へ突出するよう形成されている。この矩形状凸部１１４に、第２取付金具１３０を背面側から嵌挿する。次いで、上板１３１の挿通孔にそれぞれ固定ネジ１５１を挿通して、２本の固定ネジ１５１を矩形状凸部１１４のネジ穴にそれぞれ締着する。これにより、第２取付金具１３０が矩形状凸部１１４に嵌挿された状態で固着されて、アンテナ本体１１０の背面の下部に第２取付金具１３０が組み付けられる。
【０００４】
壁面に取り付けられている第１取付金具１２０にアンテナ本体１１０に組み付けられた第２取付金具１３０を組み付ける時には、図９に示すように把持したアンテナ本体１１０を回転させて、第１取付金具１２０が取り付けられている壁面に対してアンテナ本体１１０をほぼ直交するよう配置する。この状態において第１取付金具１２０に装着された軸ボルト１２４に第２取付金具１３０の右側板１３３の側を相対させる。そして、軸ボルト１２４が右側板１３３と上板１３１および下板１３２との間隙である上下の切欠部１３３ｂから第２取付金具１３０における上板１３１および下板１３２の連通溝内に導入されるようアンテナ本体１０を移動させていく。このとき、アンテナ本体１１０を移動させながら、軸ボルト１２４を上板１３１および下板１３２の中央溝に挿通していくことができると共に、軸ボルト１２４を第１溝あるいは第２溝に挿通していくことができる。軸ボルト１２４を挿通する溝を選んで、アンテナ本体１１０の方向調整を行い、電波到来方向にアンテナ本体１１０の指向方向が調整されたら、軸ボルト１２４をナット１２５に締着する。これにより、第１取付金具１２０および第２取付金具１３０からなるアンテナ取付装置１００により、アンテナ本体１１０の方向を所望の方向に向けて建物等の壁面に強固に取り付けることができる。
【先行技術文献】
【特許文献】
【０００５】
【特許文献１】特開２０１３−１６２４６０号公報
【特許文献２】特開２０１３−６６１２５号公報
【発明の概要】
【発明が解決しようとする課題】
【０００６】
ところで、薄型アンテナは壁面等への取付時に受信方向を調整する必要があるため、アンテナ取付装置は方向を調整する回転軸を有している。また、取付後は風による外力でアンテナが回転しない様に固定できる構造が必要とされる。図９，図１０に示す従来のアンテナ取付装置は、第２取付金具をケースに固定するための矩形状凸部が必要とされている。この矩形状凹部は、ケースの背面から突出して形成されていることから、ケースの金型が複雑になりコストが上昇するという問題点があった。また、特許文献２記載の従来のアンテナ取付装置も同様の問題点がある。さらに、引用文献１に記載された従来のアンテナ取付装置は、取付後の保持力が向上されているが、部品点数が多くなっていた。部品点数を減らして簡易に取り付けられる構造とすると、方向を調整する回転軸まわりの保持力が弱くなって、風による外力でアンテナが回転する恐れが生じるようになる。
【０００７】
そこで、本発明は、方向調整を行える機能を有していても、部品点数を増やすことなく十分な保持力を得ることができるアンテナ取付装置を提供することを目的としている。
【課題を解決するための手段】
【０００８】
本発明のアンテナ取付装置は、被取付物に取り付けられる第１金具と、アンテナ本体に固着される第２金具とからなるアンテナ取付装置であって、被取付物に取り付け可能な平面状の第１取付面部と、該第１取付面部の上端および下端においてほぼ直角に折曲されて互いに対面するよう延伸された第１上面部および第１下面部とを有し、該第１下面部の先端部に軸ボルトを挿通可能な挿通孔が形成され、該第１上面部の先端部に前記軸ボルトが螺合可能な螺着手段が設けられている前記第１金具と、前記アンテナ本体に取り付け可能な平面状の第２取付面部と、該第２取付面部の上端および下端においてほぼ直角に折曲されて互いに対面するよう延伸された第２上面部および第２下面部とを有し、前記第２上面部および前記第２下面部には、横方向に形成された連通溝と、該連通溝に始端が連通して形成された複数本の溝とが形成され、前記第２上面部および前記第２下面部との間において、前記第２取付面部に縦方向に複数の抑止手段が形成されている前記第２金具とを備え、前記アンテナ本体に固着された前記第２金具を、被取付物に取り付けられた前記第１金具に組み付ける際に、前記第１金具の前記挿通孔に挿通されて前記螺着手段に螺着された前記軸ボルトを、前記連通溝に形成された挿入溝から前記連通溝内に導入して、前記複数本の溝の内の選択した一つの溝に前記軸ボルトを挿入することにより、前記アンテナ本体を所定角度範囲において方向調整することが可能とされ、前記軸ボルトを締着することにより、前記第１上面部と前記第１下面部との間に前記第２上面部と前記第２下面部とを挟持して固着できることを最も主要な特徴としている。
【発明の効果】
【０００９】
本発明のアンテナ取付装置は、第２金具の第２上面部および第２下面部との間において、第２取付面部に縦方向に複数の抑止手段が形成されていることから、第２上面部および第２下面部とが内側に変形しないように複数の抑止手段で支持されるようになる。これにより、部品点数を増やすことなく第２金具の第２上面部および第２下面部が内側に変形することが防止されて、十分な保持力を得ることができる。
【図面の簡単な説明】
【００１０】
【図１】本発明の実施例にかかるアンテナ取付装置を備える薄型アンテナの構成を示す背面斜視図である。
【図２】本発明の実施例にかかるアンテナ取付装置において壁面金具を本体金具に組み付ける工程を示す背面斜視図である。
【図３】本発明の実施例にかかるアンテナ取付装置を備える薄型アンテナの一部の構成を拡大して示す側面図である。
【図４】本発明の実施例にかかるアンテナ取付装置を備える薄型アンテナの方向調整の範囲を示す上面図である。
【図５】本発明の実施例にかかるアンテナ取付装置の壁面金具の構成を示す上面図、正面図、下面図である。
【図６】本発明の実施例にかかるアンテナ取付装置の壁面金具の構成を示す側面図、背面図である。
【図７】本発明の実施例にかかるアンテナ取付装置の本体金具の構成を示す上面図、正面図、下面図である。
【図８】本発明の実施例にかかるアンテナ取付装置の本体金具の構成を示す側面図、背面図である。
【図９】従来のアンテナ取付装置の第２取付金具を第１取付金具に組み付ける工程を示す斜視図である。
【図１０】従来のアンテナ取付装置を備えるアンテナ本体の構成を示す背面図である。
【発明を実施するための形態】
【００１１】
本発明の実施例にかかるアンテナ取付装置を備える薄型アンテナの構成を図１、図２に示す。図１は本発明にかかるアンテナ取付装置２を備える薄型アンテナ１の構成を示す背面斜視図であり、図２は本発明の実施例にかかるアンテナ取付装置２において壁面金具３０を本体金具２０に組み付ける工程を示す背面斜視図である。
これらの図に示すように、薄型アンテナ１は、アンテナ本体１０と本発明の実施例にかかるアンテナ取付装置２とからなる。本発明にかかるアンテナ取付装置２は、薄型アンテナ１を建物等の壁面に取り付けることができ、アンテナ本体１０の背面の下部に設けられている。アンテナ本体１０は、前ケース１０ａと後ケース１０ｂとからなる厚さが薄くされ縦に長い直方体状のケースを備え、ケース内に平面アンテナ等の厚さが薄く構成されたアンテナ素子が収納されている。このアンテナ素子は、例えば地上デジタルテレビ放送を受信するアンテナ素子とされている。前ケース１０ａおよび後ケース１０ｂは樹脂製とされ、前ケース１０ａは背面が開口された箱状とされ、後ケース１０ｂは前面が開口された箱状とされている。前ケース１０ａの開口面を閉塞するように後ケース１０ｂを嵌合することにより、収納空間が内部に形成されたケースが構成されている。
【００１２】
後ケース１０ｂの背面の下部に設けられている本発明にかかるアンテナ取付装置２は、建物等の壁面に取り付けることができる断面コ字状の壁面金具３０と、壁面金具３０に組み付けることができる断面コ字状の本体金具２０とから構成されている。この場合、アンテナ本体１０の背面に本体金具２０が複数の固定ネジ４０で固着されており、軸ボルト３４を回転軸として本体金具２０は壁面金具３０に対して所定角度内において回転可能とされている。これにより、アンテナ取付装置２により薄型アンテナ１の方向調整を行うことができる。
【００１３】
壁面金具３０および本体金具２０の詳細構成は後述するが、壁面金具３０に本体金具２０を組み付ける工程の説明を図２を参照して行う。図示していないが、図２に示す壁面金具３０は建物等の壁面に取り付けられている。この壁面金具３０の上面部３２と下面部３３との間に軸ボルト３４が予め装着されているが、壁面金具３０における上面部３２と下面部３３との間隔は、本体金具２０がその間に収納できる高さとなるよう軸ボルト３４のナット３５への螺合状態が調整されている。壁面に取り付けられている壁面金具３０にアンテナ本体１０に固着された本体金具２０を組み付ける時には、アンテナ本体１０を把持して、壁面金具３０が取り付けられている壁面に対してアンテナ本体１０をほぼ平行になるよう配置する。この状態において、アンテナ本体１０を図示する矢印方向に動かして、壁面金具３０に装着された軸ボルト３４に本体金具２０の上面部２２および下面部２３に形成された挿入溝２２ｅおよび挿入溝２３ｅを相対させて、軸ボルト３４が挿入溝２２ｅおよび挿入溝２３ｅ内に挿通されるようアンテナ本体１０を壁面金具２０側へ移動させていく。
【００１４】
挿入溝２２ｅ，挿入溝２３ｅは傾斜して形成されて連通溝２２ｄ，２３ｄに連通されている。連通溝２２ｄ，２３ｄは、上面部２２および下面部２３の横方向に、その横幅より若干短く形成されている。連通溝２２ｄ，２３ｄのほぼ中央には先端が半円状の中央溝２２ａ，２３ａがほぼ直交して連通され、その左端には先端が半円状の第１溝２２ｂ，２３ｂがほぼ直交して連通され、その右端には先端が半円状の第２溝２２ｃ，２３ｃがほぼ直交して連通されている。アンテナ本体１０を移動させることで、軸ボルト３４を上面部２２および下面部２３の中央溝２２ａ，２３ａに嵌挿することができると共に、軸ボルト３４を上面部２２および下面部２３の第１溝２２ｂ，２３ｂあるいは第２溝２２ｃ，２３ｃに嵌挿することができる。軸ボルト３４を中央溝２２ａ，２３ａ、第１溝２２ｂ，２３ｂ、第２溝２２ｃ，２３ｃのいずれかに嵌挿した際には、嵌挿した溝に応じた角度範囲で薄型アンテナ１の方向調整を行うことができる。
【００１５】
ここで、壁面金具３０の詳細構成を図５，図６に示す。図５（ａ）（ｂ）（ｃ）は壁面金具３０の構成を示す上面図、正面図、下面図であり、図６（ａ）（ｂ）は壁面金具３０の構成を示す側面図、背面図である。
壁面金具３０は金属板を加工することにより形成されており、これらの図に示すように、縦長の矩形状とされた取付面部３１と、取付面部３１の上端からほぼ直角に前方へ折曲されて山形状に延伸された上面部３２と、取付面部３１の下端からほぼ直角に前方へ折曲されて山形状に延伸され、上面部３２と対面するようほぼ平行に設けられた下面部３３とから断面コ字状に構成されている。平面状とされた取付面部３１のほぼ中央部にくの字状に凹んだＶ字凹部３１ｂが長軸方向に形成されており、Ｖ字凹部３１ｂを挟んで両側のほぼ中央に一対の取付穴３１ａが並んで形成されている。取付面部３１の周囲にはほぼ直交して前方へ折曲された高さの低い壁部が形成されて機械的強度が向上されている。
【００１６】
上面部３２の先端部の上面には軸ボルト３４が螺合される六角形のナット３５が溶接されており、上面部３２には細長い２本の凸部３２ａがほぼ平行に、取付面部３１に対してほぼ直交して形成されて機械的強度が向上されている。また、下面部３３の先端部には軸ボルト３４を挿通することのできる円形の挿通孔３３ｂが形成されており、挿通孔３３ｂの周囲には６つの突起３３ｃが等間隔で形成され、下面部３３には細長い２本の凸部３３ａがほぼ平行に、取付面部３１に対してほぼ直交して形成されて機械的強度が向上されている。軸ボルト３４は、下面部３３の挿通孔３３ｂに下方から挿通されて上部が上面部３２のナット３５に螺合される。この場合、軸ボルト３４の頭部は壁面金具３０の最下端に位置するようになる。なお、壁面金具３０を建物の壁面等に取り付ける際には、取付面部３１に形成されている複数の矩形状の切り欠きに挿通した複数のネジを壁面に締着するようにする。
【００１７】
次に、本体金具２０の詳細構成を図７および図８に示す。図７（ａ）（ｂ）（ｃ）は本体金具２０の構成を示す上面図、正面図、下面図であり、図８（ａ）（ｂ）は本体金具２０の構成を示す側面図、背面図である。
本体金具２０は金属板を加工することにより形成されており、これらの図に示すように、取付面部２１は矩形状とされており、取付面部２１の上辺からほぼ直角に折曲されて形成された上面部２２と、取付面部２１の下辺からほぼ直角に折曲されて形成された下面部２３とから断面コ字状に構成されている。取付面部２１は横長の矩形状とされ、その内側の中央部の上下にそれぞれ一対の抑止片２１ｃが縦方向に形成されている。一対の抑止片２１ｃは、先端に行くほど互いの間隔が狭まるよう斜めに折曲されており、中央側の端部は斜辺となっている。そして、上部に形成された一対の抑止片２１ｃの上端は、上面部２２の下面に当接され、下部に形成された一対の抑止片２１ｃの下端は、下面部２３の上面に当接されている。また、取付面部２１の内側における両側の中央部よりに、切り起こされた抑止部２１ａがそれぞれほぼ直角に折曲されて縦方向に形成されている。抑止部２１ａは、上端が上面部２２の下面に当接され、下端が下面部２３の上面に当接されており、上部と下部に幅が拡張された拡幅部２１ｂがそれぞれ形成されている。抑止部２１ａの拡幅部２１ｂと中央部とは斜辺で接続されている。抑止部２１ａが切り起こされた部位は、切欠部２１ｄとなっている。
【００１８】
上面部２２にはほぼ中央に先端が半円状とされた中央溝２２ａが取付面部２１にほぼ直交して形成され、中央溝２２ａの左側に先端が半円状とされた第１溝２２ｂが中央溝２２ａにほぼ平行にやや短く形成され、中央溝２２ａの右側に先端が半円状とされた第２溝２２ｃが中央溝２２ａにほぼ平行にやや短く形成されている。中央溝２２ａないし第２溝２２ｃの３つの溝の始端は、上面部２２の前側に取付面部２１にほぼ平行（横方向）に形成されている連通溝２２ｄにより互いに連通されている。また、下面部２３にもほぼ中央に先端が半円状とされた中央溝２３ａが取付面部２１にほぼ直交して形成され、中央溝２３ａの左側に先端が半円状とされた第１溝２３ｂが中央溝２３ａにほぼ平行にやや短く形成され、中央溝２３ａの右側に先端が半円状とされた第２溝２３ｃが中央溝２３ａにほぼ平行にやや短く形成されている。中央溝２３ａないし第２溝２３ｃの３つの溝の始端は、下面部２３の前側に取付面部２１にほぼ平行（横方向）に形成されている連通溝２３ｄにより互いに連通されている。なお、連通溝２２ｄ，２３ｄは、上面部２２および下面部２３における側端近傍まで形成されている。また、上面部２２の前縁から傾斜した挿入溝２２ｅが連通溝２２ｄの中央より右寄りに連通して形成され、下面部２３の前縁から傾斜した挿入溝２３ｅが連通溝２３ｄの中央より右寄りに連通して形成されている。この場合、２つの中央溝２２ａ，２３ａ、２つの第１溝２２ｂ，２３ｂ、２つの第２溝２２ｃ，２３ｃ、２つの連通溝２２ｄ，２３ｄ、２つの挿入溝２２ｅ，２３ｅは、上面部２２と下面部２３とを重ねた際に同形状になるよう対称に形成されている。
【００１９】
図２に示すように、本発明にかかるアンテナ取付装置２の壁面金具３０に本体金具２０を組み付けていくと、アンテナ本体１０は図３に示すように壁面金具に固着される。図３は、壁面金具３０に本体金具２０を組み付けた状態を拡大して示す側面図である。
図示していないが、図３に示す壁面金具３０は建物等の壁面に取り付けられている。また、壁面金具３０の上面部３２と下面部３３との間に軸ボルト３４が予め装着されているが、壁面金具３０における上面部３２と下面部３３との間隔は、本体金具２０の高さ以上となるよう軸ボルト３４のナット３５への螺合状態が調整されている。壁面に取り付けられている壁面金具３０の軸ボルト３４を、本体金具２０の挿入溝２２ｅ，２３ｅから挿入していくことで、壁面金具３０の上面部３２と下面部３３との間に、本体金具２０の上面部２２と下面部２３とが挟持されて、アンテナ本体１０は壁面金具３０に組み付けられる。そして、アンテナ本体１０を動かすことにより、軸ボルト３４が連通溝２２ｄ，２３ｄ内を摺動していき、中央溝２２ａ，２３ａ、第１溝２２ｂ，２３ｂ、第２溝２２ｃ，２３ｃのいずれかに嵌挿できるようになる。
【００２０】
軸ボルト３４を中央溝２２ａ，２３ａに嵌挿した状態が図４（ａ）に示されている。軸ボルト３４を中央溝２２ａ，２３ａに挿入した状態において、アンテナ本体１０の方向調整を行える範囲を上面図で図４（ａ）に示す。図４（ａ）は正面へ向けたアンテナ本体１０を上から見て左方向および右方向に回転できる角度が正面方向からθ１であることを示している。このように、軸ボルト３４を中央溝２２ａ，２３ａに挿入した場合は、アンテナ本体１０を正面方向から左右に±θ１の角度で方向調整することができる。θ１は、例えば約１５°とされ、軸ボルト３４を中央溝２２ａに挿入した場合は、約３０°の角度範囲で方向調整を行えるようになる。方向調整を行える角度範囲は、中央溝２２ａ，２３ａを形成する深さを変えることで多少は変更することができる。この場合、中央溝２２ａ，２３ａの深さを深くすると角度範囲は狭まるようになり、中央溝２２ａ，２３ａの深さを浅くすると角度範囲は拡がるようになる。
【００２１】
また、軸ボルト３４を第１溝２２ｂ，２３ｂに挿入した状態おいて、アンテナ本体１０の方向調整を行える範囲を上面図で図４（ｂ）に示す。図４（ｂ）は正面へ向けたアンテナ本体１０を上から見て左方向に回転できる角度がθ２であることを示している。θ２は、例えば約６０°とされ、軸ボルト３４を第１溝２２ｂ，２３ｂに挿入した場合は、正面方向から左方向に約６０°の角度範囲で方向調整を行えるようになる。
さらに、軸ボルト３４を第２溝２２ｃ，２３ｃに挿入した状態おいて、アンテナ本体１０の方向調整を行える範囲を上面図で図４（ｃ）に示す。図４（ｃ）は正面へ向けたアンテナ本体１０を上から見て右方向に回転できる角度がθ３であることを示している。θ３は、例えば約６０°とされ、軸ボルト３４を第２溝２２ｃ，２３ｃに挿入した場合は、正面方向から右方向に約６０°の角度範囲で方向調整を行えるようになる。
【００２２】
このように、アンテナ本体１０の方向調整を行う方向および角度に応じて軸ボルト３４を挿入する溝として中央溝２２ａ，２３ａないし第２溝２２ｃ，２３ｃの内の一つを選択する。選択された中央溝２２ａ，２３ａないし第２溝２２ｃ，２３ｃの一つに軸ボルト３４が嵌挿されて、方向調整を行って電波到来方向にアンテナ本体１０の指向方向が調整されたら、軸ボルト３４をナット３５に締着する。これにより、壁面金具３０および本体金具２０からなる本発明にかかるアンテナ取付装置２により、アンテナ本体１０の方向を所望の方向に向けて建物等の壁面に強固に取り付けることができる。なお、軸ボルト３４を締着する場合は軸ボルト３４の下端の六角形の頭部をスパナ等で回転させるが、この軸ボルト３４の頭部はアンテナ本体１０の下面とほぼ同じ面に位置していることから、軸ボルト３４の頭部を目視しながらアンテナ本体１０に邪魔されることなく軸ボルト３４を締着することができる。なお、壁面金具３０に軸ボルト３４が予め挿入された状態で、本体金具２０を組み付けることから、その組み付けの作業時に軸ボルト３４を壁面金具３０に挿入する作業は不要となる。本発明にかかるアンテナ取付装置２においては、上記したようにアンテナ本体１０の取付作業を目視しながら行うことができることから、容易に取付作業を行うことができる。また、本発明にかかるアンテナ取付装置２においては、大きな角度範囲において方向調整を行える機能を有している。
【００２３】
本発明にかかるアンテナ取付装置２では、図３に示すように壁面金具３０の上面部３２と下面部３３との間に、本体金具２０の上面部２２と下面部２３とが挟持されるが、本体金具２０の対面している上面部２２と下面部２３との先端部はフリーとなっている。すると、上記したように、アンテナ本体１０の指向方向の調整後に、軸ボルト３４をナット３５に締着していった時に、上面部２２と下面部２３とが内側に変形することが考えられる。上面部２２と下面部２３とが内側に変形すると、壁面金具３０と本体金具２０との固定力が弱まり、規定する外力（風力）以下でアンテナ本体１０が軸ボルト３４を中心に回転するおそれが生じる。本発明にかかるアンテナ取付装置２では、次のようにして上面部２２と下面部２３とが内側に変形することを防止している。
図７（ｂ）、図８（ａ）（ｂ）に示すように、取付面部２１の両側の中央部よりに、ほぼ直角に折曲された抑止部２１ａがそれぞれ形成されており、この抑止片２１ｃは、上端が上面部２２の下面に当接され、下端が下面部２３の上面に当接されており、上部と下部に幅が拡張された拡幅部２１ｂがそれぞれ形成されている。また、取付面部２１の中央部の上下にそれぞれ一対の抑止片２１ｃが形成されており、上部に形成された一対の抑止片２１ｃの上端は、上面部２２の下面に当接され、下部に形成された一対の抑止片２１ｃの下端は、下面部２３の上面に当接されている。これにより、軸ボルト３４をナット３５に締着していった時に、拡幅部２１ｂが形成された２つの抑止部２１ａと一対の抑止片２１ｃの２組とが、上面部２２と下面部２３とが内側に変形しないように支持することから、上面部２２と下面部２３とが内側に変形することが防止される。したがって、本発明にかかるアンテナ取付装置２では、部品点数を増やすことなく、また、本体金具２０をアンテナ本体１０に固定するための後ケース１０ｂに形成する凸部を必要とすることなく、十分な保持力を得ることができるようになる。
【００２４】
本発明にかかるアンテナ取付装置２は、アンテナ本体１０をアンテナポールに取り付けることもできる。アンテナ本体１０をアンテナポールに取り付ける場合には、壁面金具３０の取付面部３１の裏面のＶ字凹部３１ｂとの間にアンテナポールを挟持する取付金具を用意する。この取付金具は横長の平面状とされて、両側には挿通穴がそれぞれ形成され、後方へ突出する挟持部が形成されている。この挟持部にアンテナポールを当接し、２つの挿通穴にそれぞれ取付ボルトを挿通して、壁面金具３０における取付面部３１の両側のほぼ中央に形成されている２つの取付穴３１ａに、２本の取付ボルトを挿通してそれぞれナットを螺着する。これにより、アンテナ本体１０をアンテナポールに取り付けることができる。
【産業上の利用可能性】
【００２５】
上記の説明では、本発明のアンテナ取付装置は地上デジタルテレビ放送を受信するアンテナ本体用としたが、これに限るものではなく、他の薄型アンテナに適用することができる。
以上説明した本発明のアンテナ取付装置は、建物等の壁面やアンテナポール、さらにベランダなどの被取付物にアンテナ本体を取り付けることができる。また、本体金具には、抑止片と抑止部とからなる抑止手段を設けて、本体金具の上面部と下面部とが内側に変形することを防止しているが、抑止手段を、抑止片と抑止部とのいずれか一方だけとしても良い。
【符号の説明】
【００２６】
１  薄型アンテナ、２  アンテナ取付装置、１０  アンテナ本体、１０ａ  前ケース、１０ｂ  後ケース、２０  壁面金具、２０  本体金具、２１  取付面部、２１ａ  抑止部、２１ｂ  拡幅部、２１ｃ  抑止片、２１ｄ  切欠部、２２  上面部、２２ａ  中央溝、２２ｂ  第１溝、２２ｃ  第２溝、２２ｄ  連通溝、２２ｅ  挿入溝、２３  下面部、２３ａ  中央溝、２３ｂ  第１溝、２３ｃ  第２溝、２３ｄ  連通溝、２３ｅ  挿入溝、３０  壁面金具、３１  取付面部、３１ａ  取付穴、３１ｂ  Ｖ字凹部、３２  上面部、３２ａ  凸部、３３  下面部、３３ａ  凸部、３３ｂ  挿通孔、３３ｃ  突起、３４  軸ボルト、３５  ナット、４０  固定ネジ、１００  アンテナ取付装置、１１０  アンテナ本体、１１１  ケース、１１１ａ  前ケース、１１１ｂ  後ケース、１１４  矩形状凸部、１２０  取付金具、１２４  軸ボルト、１２５  ナット、１３０  取付金具、１３１  上板、１３２  下板、１３３  右側板、１３３ｂ  切欠部、１５１  固定ネジ
【図１】
2016100761.tif 000003
【図２】
2016100761.tif 000004
【図３】
2016100761.tif 000005
【図４】
2016100761.tif 000006
【図５】
2016100761.tif 000007
【図６】
2016100761.tif 000008
【図７】
2016100761.tif 000009
【図８】
2016100761.tif 000010
【図９】
2016100761.tif 000011
【図１０】
2016100761.tif 000012